(57)【要約】  新規な意匠性を有する表示体および広告装置を提供する。  表示体１００は、光源１０と、光源１０からの光が通過する光拡散部２０と、光拡散部２０の上に設けられ、光拡散部２０を通過した光が通過する透明体３０と、光拡散部２０と透明体３０との間の少なくとも一部に設けられた空間部２２と、を含む。透明体３０の上側の表示面は、一つもしくは複数の平面および一つもしくは複数の曲面の少なくとも一方とを含んで構成される。一例として、光拡散部２０と透明体３０との間に接着層が介在しておらず、光拡散部２０を乳白色の光拡散部で構成することができる。
2018038120.tif 000002
【特許請求の範囲】
【請求項１】
光源と、
前記光源からの光が通過する光拡散部と、
前記光拡散部の上に設けられ、前記光拡散部を通過した光が通過する透明体と、
前記光拡散部と前記透明体との間の少なくとも一部に設けられた空間部と、を含み、
前記透明体の上側の表示面は、一つもしくは複数の平面および一つもしくは複数の曲面の少なくとも一方とを含んで構成される表示体。
【請求項２】
光源と、
前記光源からの光が通過する光拡散部と、
前記光拡散部の上に設けられ、前記光拡散部を通過した光が通過する透明体と、
前記光拡散部と前記透明体との間の少なくとも一部に設けられた空間部と、を含み、
前記透明体は、前記光拡散部と向かい合う底部と、前記底部の上に設けられた凸部とを含む表示体。
【請求項３】
光源と、
前記光源からの光が通過する光拡散部と、
前記光拡散部の上に設けられ、前記光拡散部を通過した光が通過する透明体と、
前記光拡散部と前記透明体との間の少なくとも一部に設けられた空間部と、を含み、
前記透明体は、当該透明体の底面に対して平行でない平面および曲面の少なくとも一方を含む表示体。
【請求項４】
請求項１〜３のいずれかにおいて、
前記光拡散部と前記透明体との間に接着層が介在していない表示体。
【請求項５】
請求項１〜３のいずれかにおいて、
前記光拡散部は、乳白色の光拡散部である表示体。
【請求項６】
請求項１〜３のいずれかにおいて、
前記光源を収容する光源収容部を含み、
前記光源収容部は、上側に開口部を有し、
前記光拡散部は、前記光源収容部の開口部を塞ぐように設けられている表示体。
【請求項７】
請求項１〜３のいずれかにおいて、
前記光源は、複数設けられ、
前記光源は、前記光源収容部の壁面に設けられている表示体。
【請求項８】
請求項１〜３のいずれかにおいて、
前記透明体および前記光拡散部は、アクリル樹脂からなる表示体。
【請求項９】
請求項１〜３のいずれかに記載の表示体を含む広告装置。
【発明の詳細な説明】
【技術分野】
【０００１】
本発明は、光源を含む表示体および広告装置に関する。
【背景技術】
【０００２】
アクリル板の下にＬＥＤ光源を設けた表示体が提案されている（特許文献１〜２参照）。その表示体は、たとえば、広告宣伝の看板などに適用されている。
【先行技術文献】
【特許文献】
【０００３】
【特許文献１】特開２０１２−５３２９５号公報
【特許文献２】特開２００７−３４２４６号公報
【発明の概要】
【発明が解決しようとする課題】
【０００４】
本発明の目的は、新規な意匠性を有する表示体および広告装置を提供することにある。
【課題を解決するための手段】
【０００５】
１．表示体
（１）第１の表示体
本発明の第１の表示体は、
光源と、
前記光源からの光が通過する光拡散部と、
前記光拡散部の上に設けられ、前記光拡散部を通過した光が通過する透明体と、
前記光拡散部と前記透明体との間の少なくとも一部に設けられた空間部と、を含み、
前記透明体の上側の表示面は、一つもしくは複数の平面および一つもしくは複数の曲面の少なくとも一方とを含んで構成される。【０００６】
本発明によれば、観者の見る位置により、たとえば、メタル感がある部分と、光ってみえる部分とが変わっていく新しい意匠性を有する表示体を実現することができる。【０００７】
（２）第２の表示体
本発明の第２の表示体は、
光源と、
前記光源からの光が通過する光拡散部と、
前記光拡散部の上に設けられ、前記光拡散部を通過した光が通過する透明体と、
前記光拡散部と前記透明体との間の少なくとも一部に設けられた空間部と、を含み、
前記透明体は、前記光拡散部と向かい合う底部と、前記底部の上に設けられた凸部とを含む。【０００８】
本発明によれば、観者の見る位置により、たとえば、メタル感がある部分と、光ってみえる部分とが変わっていく新しい意匠性を有する表示体を実現することができる。【０００９】
本発明において、
前記凸部は、前記底部から互いに近づく方向に立ち上がる第１の斜面および第２の斜面を含むことができる。【００１０】
（３）第３の表示体
本発明の第３の表示体は、
光源と、
前記光源からの光が通過する光拡散部と、
前記光拡散部の上に設けられ、前記光拡散部を通過した光が通過する透明体と、
前記光拡散部と前記透明体との間の少なくとも一部に設けられた空間部と、を含み、
前記透明体は、当該透明体の底面に対して平行でない平面および曲面の少なくとも一方を含む。【００１１】
本発明によれば、観者の見る位置により、たとえば、メタル感がある部分と、光ってみえる部分とが変わっていく新しい意匠性を有する表示体を実現することができる。【００１２】
上記の本発明の表示体において、前記光拡散部と前記透明体との間に接着層が介在していない態様をとることができる。光拡散部と透明体との間に接着層が介在していないことで、部分的に異なった色味、光沢をより確実に現すことができる。【００１３】
上記の本発明の表示体において、前記光拡散部は、乳白色の光拡散部であることができる。これにより、光って見える部分が、柔らかく光が現れることになる。【００１４】
上記の本発明の表示体において、
前記光源を収容する光源収容部を含み、
前記光源収容部は、上側に開口部を有し、
前記光拡散部は、前記光源収容部の開口部を塞ぐように設けられていることができる。【００１５】
本発明によれば、光源の光が光拡散部を通じて外部に発せられることになり、透明体に光を確実に導くことができる。【００１６】
上記の本発明の表示体において、
前記光源は、複数設けられ、
前記光源は、前記光源収容部の壁面に設けられていることができる。【００１７】
本発明によれば、観者から光源が直接見えることを防ぐことができる。【００１８】
上記の本発明の表示体において、前記透明体および前記光拡散部は、アクリル樹脂からなることができる。これによれば、加工性、コスト、意匠性などから好適である。【００１９】
２．広告装置
本発明の広告装置は、本発明に係る表示体を含む。新規な意匠性を有する広告装置を実現することができる。
本特許請求の範囲および本明細書において、「平面」には多少の表面粗さがあっても平面として視認されるものを含むものとし、「曲面」には多少の表面粗さがあっても曲面として視認されるものを含むものとする。
【図面の簡単な説明】
【００２０】
【図１】実施の形態に係る表示装置を模式的に示す図である。
【図２】実施の形態に係る表示装置を模式的に示す斜視図である。
【図３】実施の形態に係る表示装置の原理を説明するための図である。
【図４】実施の形態に係る透明体の構成例を模式的に示す図である。
【図５】実施の形態に係る透明体の構成例を模式的に示す図である。
【図６】実施の形態に係る透明体の構成例を模式的に示す図である。
【図７】実施の形態に係る透明体の構成例を模式的に示す図である。
【図８】実施の形態に係る透明体の構成例を模式的に示す図である。
【図９】実施の形態に係る透明体の構成例を模式的に示す図である。
【図１０】実施の形態に係る表示装置の変形例を模式的に示す斜視図である。
【図１１】実施の形態に係る表示装置の変形例を模式的に示す斜視図である。
【図１２】実施の形態に係る表示装置の変形例を模式的に示す斜視図である。
【発明を実施するための形態】
【００２１】
以下、本発明の好適な実施の形態について詳細に説明する。
【００２２】
１．表示体の構成
実施の形態に係る表示体１００は、図１および図２に示すように、光源１２と、光拡散部２０と、透明体３０とを含む。
【００２３】
光源１２は、特に限定されないが、たとえばＬＥＤ光源１２からなることができる。光源１２は、光源１２収容部１０に収容されている。光源１２は、たとえば、光源１２収容部１０の内側の壁面に設けることができる。光源１２収容部１０は、上側に開口部を有することができる。光源１２は、複数設けることができ、たとえばチップＬＥＤ照明リボンなどから構成することができる。
【００２４】
光拡散部２０は、光源１２からの光が通過するものである。光拡散部２０は、光源１２収容部１０の開口部を塞ぐように設けることができる。光拡散部２０は、特に限定されないが、たとえば、乳白色の光拡散部２０からなることができる。光拡散部２０の材質は、屈折率を考慮して決定され、たとえばアクリル樹脂からなることができる。光拡散部２０は、無色又は有色の部材（たとえば透明のアクリル製の板）の上に公知の光拡散シートを設けた態様のものや、無色又は有色の部材の表面を光が拡散するような処理をしてもよい。
【００２５】
透明体３０は、光拡散部２０の上に設けられ、光拡散部２０を通過した光が通過するものである。光拡散部２０は、透明体３０との間に少なくとも一部において空間部２２が設けられるように設けられている。空間部２２は、空気層であってもよい。透明体３０は、無色または有色であることができる。
【００２６】
透明体３０は、一例として、光拡散部２０と向かい合う底部３２と、底部３２の上に設けられた凸部３４とを含むことができる。凸部３４は、表示面として複数の斜面、たとえば、第１の斜面３４ａおよび第２の斜面３４ｂを含むことができる。第１の斜面３４ａおよび第２の斜面３４ｂの形状は求められる意匠により決定されるが、たとえば、底部３２から互いに近づく方向に立ち上がる。凸部３４と底部３４とは別体であっても一体的に設けたものでもよい。
【００２７】
透明体３０の断面形状は、求める意匠によって決定されるが、たとえば、逆Ｔ字形状などの凸形状（図４参照）、台形形状（図５参照）、弦形状および半球形状など曲面を有する形状（図６参照）、鋸刃状の形状（図７参照）、Ｖ字溝などの溝が設けられている形状（図８参照）、三角形状（図９参照）またはそれらの組み合わせであってもよい。
【００２８】
光拡散部２０と透明体３０との間には接着層が介在しないように構成することができる。底部３２の底面と第１の斜面３４ａとのなす角は、求める意匠により決定される。透明体３０の材質としては、屈折率を考慮して決定され、たとえばアクリル樹脂からなることができる。
【００２９】
透明体３０を固定する方法としては特に限定されないが、図１に示すように、たとえば、上端部が透明体３０の端部（側方に突出する端部）３２ａと係り合うような抑え部材４０を設け、その抑え部材４０を光源収容部１０に第１の固定部（組込ボルトなどのボルト）４２などで固定してもよい。表示体１００自身を壁などに固定するために光源収容部１０の底面３２ａに貫通穴を設け、第２の固定部（ボルトなど）４４で壁に固定することができる。
【００３０】
透明体３０の固定方法としては、次のような態様であってもよい。１）図１０に示すように、透明体３０の端部３２ａ、光拡散体２０および光源収容部１０を貫通させて固定ボルトなどの固定部４２より固定する態様。２）図１１に示すように、透明体３０の端において、下側に突出する端部３０ｂを設け、抑え部材４０、端部３０ｂおよび光源収容部１０に対して固定ボルトなどの固定部３２を貫通させ、固定させる態様。３）図１２に示すように、抑え部材４０および透明体３０に対して固定ボルトなどの固定部４２により固定させる態様。
【００３１】
この表示体１００は、たとえば、文字や模様などを表示する広告装置に応用することができる。
【００３２】
２．光の進む態様
図３に基づいて、表示体１００の原理の一例を説明する。なお、透明体３０が第１の斜面３４ａと第２の斜面３４ｂを含む例を用いて、表示体１００の原理を説明する。
【００３３】
光源１２の光が光拡散部２０により拡散し、光を拡散し、光源１２の色と光拡散部２０の色の光とが混じった光を発することになる。光拡散部２０を通った光が空間部２２を介して透明体３０に入射し、第１の斜面３４ａまたは第２の斜面３４ｂから出射される。透明体３０の第１の斜面３４ａまたは第２の斜面３４ｂから入射した光は、透明体３０の底面３２ａで全反射し、第１の斜面３４ａまたは第２の斜面３４ｂから出射される。
【００３４】
３．作用効果
図３に基づいて、表示体１００の作用効果を説明する。なお、本実施の形態は、図３の表示体１００に限定されるものではない。
【００３５】
本願発明者は、このような構成を有することによって、視点Ａによって、反射と屈折との関係から、観者の見る位置により、第１の斜面３４ａおよび第２の斜面３４ｂの光沢および色に様々な変化が生じ、意匠性が向上することを見出した。具体的には、第１の斜面３４ａまたは第２の斜面３４ｂにおいて、光拡散部２０を通ってきた光の色味の部分と、第１の斜面３４ａまたは第２の斜面３４ｂから入射した光が透明体３０の底面３２ａにより反射した光の色味との部分とが変化しながら現れることを見出した。
【００３６】
図３に示す観者の視点Ａからは、第１の斜面３４ａにおける、第１の地点３４ａ１および第２の地点３４ａ２の箇所には、それぞれ、対象物Ｐ１における、第１の地点Ｂ１および第２の地点Ｂ２の箇所が映ってみえる。一方、第２の斜面３４ｂにおける、第１の地点３４ｂ１および第２の地点３４ｂ２の箇所には、それぞれ、光散乱部２０における、第１の地点Ｃ１および第２の地点Ｃ２が映ってみえる。
【００３７】
本願発明者は、光拡散部２０がたとえば乳白色のアクリル樹脂からなり、透明体３０が透明のアクリル樹脂からなる場合には、メタル感をもった色味の部分と、白く光ってみえる部分とが現れることを見出した。
【００３８】
実施の形態に係る表示装置１００は、文字、模様、図形など表すものとして適用することができ、特に、広告装置に好適である。
【００３９】
本実施の形態は、本発明の範囲内において種々の変形が可能である。
【産業上の利用可能性】
【００４０】
本発明の表示体は、広告装置などに広く適用することができる。
【符号の説明】
【００４１】
１０  光源収容部
１２  光源
２０  光拡散部
２２  空間部
３０  透明体
３２  底部
３２ａ  底面
３４  凸部
３４ａ  第１の斜面
３４ｂ  第２の斜面
４０  抑え部材
４２  第１の固定部
４４  第２の固定部
１００  表示体
【図１】
2018038120.tif 000003
【図２】
2018038120.tif 000004
【図３】
2018038120.tif 000005
【図４】
2018038120.tif 000006
【図５】
2018038120.tif 000007
【図６】
2018038120.tif 000008
【図７】
2018038120.tif 000009
【図８】
2018038120.tif 000010
【図９】
2018038120.tif 000011
【図１０】
2018038120.tif 000012
【図１１】
2018038120.tif 000013
【図１２】
2018038120.tif 000014
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
光源と、
前記光源からの光が通過する光拡散部と、
前記光拡散部の上に設けられ、前記光拡散部を通過した光が通過する透明体と、
前記光拡散部と前記透明体との間の少なくとも一部に設けられた空間部と、を含み、
前記透明体の上側の表示面は、一つもしくは複数の平面および一つもしくは複数の曲面の少なくとも一方とを含んで構成され、
前記空間部を介して前記光拡散部と対向する前記透明体の面は、前記透明体の表示面から入射した光を反射するための反射面を構成し、
看者の見る位置によって、前記透明体の表示面のうち前記光源からの光が表示される第１の表示領域と、前記透明体の所定の表示面の部分から入射した光が前記反射面で反射し、前記所定の表示面の部分以外の前記透明体の表示面に表示される第２の表示領域とが変化し得る表示体。
【請求項２】
光源と、
前記光源からの光が通過する光拡散部と、
前記光拡散部の上に設けられ、前記光拡散部を通過した光が通過する透明体と、
前記光拡散部と前記透明体との間の少なくとも一部に設けられた空間部と、を含み、
前記透明体は、前記光拡散部と向かい合う底部と、前記底部の上に設けられた凸部とを含み、
前記透明体の底部は、前記透明体の表示面から入射した光を反射するための反射面を構成し、
看者の見る位置によって、前記透明体の表示面のうち前記光源からの光が表示される第１の表示領域と、前記透明体の所定の表示面の部分から入射した光が前記反射面で反射し、前記所定の表示面の部分以外の前記透明体の表示面に表示される第２の表示領域とが変化し得る表示体。
【請求項３】
光源と、
前記光源からの光が通過する光拡散部と、
前記光拡散部の上に設けられ、前記光拡散部を通過した光が通過する透明体と、
前記光拡散部と前記透明体との間の少なくとも一部に設けられた空間部と、を含み、
前記透明体は、当該透明体の底面に対して平行でない平面および曲面の少なくとも一方を含み、
前記空間部を介して前記光拡散部と対向する前記透明体の底面は、前記透明体の表示面から入射した光を反射するための反射面を構成し、
看者の見る位置によって、前記透明体の表示面のうち前記光源からの光が表示される第１の表示領域と、前記透明体の所定の表示面の部分から入射した光が前記反射面で反射し、前記所定の表示面の部分以外の前記透明体の表示面に表示される第２の表示領域とが変化し得る表示体。
【請求項４】
請求項１〜３のいずれかにおいて、
前記光拡散部と前記透明体との間に接着層が介在していない表示体。
【請求項５】
請求項１〜３のいずれかにおいて、
前記光拡散部は、乳白色の光拡散部である表示体。
【請求項６】
請求項１〜３のいずれかにおいて、
前記光源を収容する光源収容部を含み、
前記光源収容部は、上側に開口部を有し、
前記光拡散部は、前記光源収容部の開口部を塞ぐように設けられている表示体。
【請求項７】
請求項１〜３のいずれかにおいて、
前記光源は、複数設けられ、
前記光源は、前記光源収容部の壁面に設けられている表示体。
【請求項８】
請求項１〜３のいずれかにおいて、
前記透明体および前記光拡散部は、アクリル樹脂からなる表示体。
【請求項９】
請求項１〜３のいずれかに記載の表示体を含む広告装置。
【国際調査報告】
2018038120.tif 000015
2018038120.tif 000016
2018038120.tif 000017
2018038120.tif 000018